(57)【要約】【課題】適切な指圧効果を利用者に与えることが可能な枕を提供する。【解決手段】枕１００は、複数の貫通孔１１を有する枕本体１と、複数の貫通孔１１にそれぞれ配置される複数の押圧部２１とを備える。枕本体１は樹脂発泡体製であり、押圧部２１はゴムまたはエラストマーの非発泡体製である。押圧部２１は、先端部２１１が枕本体１の表面１ａよりも内側に配置されている。【選択図】図５
2015033439.tif 000002
【特許請求の範囲】
【請求項１】
複数の貫通孔を有する枕本体と、
前記複数の貫通孔にそれぞれ配置される複数の押圧部とを備え、
前記枕本体が樹脂発泡体製であり、前記押圧部がゴムまたはエラストマーの非発泡体製であり、
前記押圧部は、先端部が前記枕本体の表面よりも内側に配置されていることを特徴とする枕。
【請求項２】
前記枕本体は、表面が前記押圧部の先端部と揃うように圧縮可能に構成されている請求項１に記載の枕。
【請求項３】
前記複数の押圧部の基端部が連結部により連結されている請求項１または２に記載の枕。
【請求項４】
前記枕本体の表面には、球面状の凹部が形成されている請求項１〜３のいずれか１項に記載の枕。
【請求項５】
前記押圧部の下方に配置される下敷部材をさらに備える請求項１〜４のいずれか１項に記載の枕。
【請求項６】
前記押圧部がシリコーンゴムの非発泡体製であり、前記枕本体がポリウレタンフォーム製である請求項１〜５のいずれか１項に記載の枕。
【発明の詳細な説明】
【技術分野】
【０００１】
本発明は、枕に関する。
【背景技術】
【０００２】
従来、指圧効果を有する枕が知られている（たとえば、特許文献１および２参照）。
【０００３】
特許文献１には、弾性発泡体からなる枕本体と、枕本体の貫通孔に挿入される棒状クッション体とを備える枕が開示されている。棒状クッション体は、枕本体と異なる硬度を有する弾性発泡体からなり、貫通孔よりも長くなるように形成されている。このため、この枕では、枕本体の表面に対して棒状クッション体が突出されており、その棒状クッション体の突出部が後頭部に接触されることにより、指圧効果を利用者に与えることが可能である。
【０００４】
また、特許文献２には、軟質ポリウレタンフォームと、軟質ポリウレタンフォームに埋設された指圧部材とを備えるポリウレタンフォーム枕が開示されている。指圧部材は、軟質ポリウレタンフォームよりも剛性が高くなっている。そして、このポリウレタンフォーム枕では、軟質ポリウレタンフォームが頭部の荷重により圧縮されると、指圧部材の先端に後頭部が近づくことにより、指圧効果を利用者に与えることが可能である。
【先行技術文献】
【特許文献】
【０００５】
【特許文献１】登録実用新案第３０１０７３２号公報
【特許文献２】特開２００４−２６７５７７号公報
【発明の概要】
【発明が解決しようとする課題】
【０００６】
しかしながら、特許文献１に開示された従来の枕では、枕本体の表面に対して棒状クッション体が突出されているので、指圧効果が強くなりすぎることが考えられる。また、特許文献２に開示された従来のポリウレタンフォーム枕では、指圧部材と後頭部との間に軟質ポリウレタンフォームが配置されるので、指圧効果が弱くなりすぎることが考えられる。したがって、特許文献１の枕および特許文献２のポリウレタンフォーム枕では、適切な指圧効果を利用者に与えることが困難である。
【０００７】
本発明は、上記の課題を解決するためになされたものであり、本発明の目的は、適切な指圧効果を利用者に与えることが可能な枕を提供することである。
【課題を解決するための手段】
【０００８】
本発明による枕は、複数の貫通孔を有する枕本体と、複数の貫通孔にそれぞれ配置される複数の押圧部とを備える。枕本体は樹脂発泡体製であり、押圧部はゴムまたはエラストマーの非発泡体製である。押圧部は、先端部が枕本体の表面よりも内側に配置されている。
【０００９】
このように構成することによって、頭部などが載置された場合に、枕本体の表面よりも内側に配置される押圧部の先端部が、枕本体が圧縮されることにより枕本体の表面に現れるので、圧縮された状態の枕本体と押圧部とにより頭部などを支持しながら、強すぎず弱すぎない適切な指圧効果を利用者に与えることができる。
【００１０】
上記枕において、枕本体は、表面が押圧部の先端部と揃うように圧縮可能に構成されていることが好ましい。
【００１１】
このように構成すれば、頭部などが載置された場合に、枕本体が荷重を受けて圧縮されることにより、枕本体の圧縮された部分の表面に押圧部の先端部が現れるようにすることができる。
【００１２】
上記枕において、複数の押圧部の基端部が連結部により連結されていることが好ましい。
【００１３】
このように構成すれば、後頭部が載置されて押圧部が下方に沈み込むと、その押圧部の周囲の押圧部を沈み込んだ押圧部側に向けて浮かび上がらせることができるので、側頭部に対して指圧効果を効果的に与えることができる。
【００１４】
上記枕において、枕本体の表面には、球面状の凹部が形成されていることが好ましい。
【００１５】
このように構成すれば、枕本体の凹部に頭部が載置された場合に、頭部に、包み込まれるような感触を与えることができる。
【００１６】
上記枕において、押圧部の下方に配置される下敷部材をさらに備えることが好ましい。
【００１７】
このように構成すれば、頭部などが載置された場合に、圧縮された状態の枕本体と押圧部とが沈み込むことにより、利用者の好みに応じて指圧効果を調整することができるので、より適切な指圧効果を利用者に与えることができる。また、利用者の好みに応じて枕の高さを調整することもできる。
【００１８】
上記枕において、押圧部がシリコーンゴムの非発泡体製であり、枕本体がポリウレタンフォーム製であることが好ましい。
【００１９】
上記の材料の組み合わせを用いた場合に、頭部などが載置された場合の押圧部および枕本体の変形の度合いが特に適切であるため、より適切な指圧効果を利用者に与えることができる。
【発明の効果】
【００２０】
本発明の枕によれば、適切な指圧効果を利用者に与えることができる。
【図面の簡単な説明】
【００２１】
【図１】本発明の第１実施形態による枕の全体構成を示した斜視図である。
【図２】図１の枕の分解斜視図である。
【図３】図２の枕の枕本体を示した平面図である。
【図４】図２の枕の押圧部材を示した平面図である。
【図５】図１の枕における押圧部材の押圧部を模式的に示した断面図である。
【図６】図１の枕において沈み込んだ押圧部とその押圧部の周囲の押圧部とを模式的に示した概念図である。
【図７】本発明の第２実施形態による枕の枕本体を示した分解斜視図である。
【発明を実施するための形態】
【００２２】
以下、本発明の実施形態について図面を参照して説明する。
【００２３】
（第１実施形態）
まず、図１〜図５を参照して、第１実施形態による枕１００の構成について説明する。
【００２４】
枕１００は、図１に示すように、所定の高さ（厚さ）を有するとともに、弾力性を有している。この枕１００は、就寝時などに利用者が頭部を載置するための寝具であり、たとえば布製のカバー（図示省略）によって包まれた状態で使用される。なお、枕１００は、通常時には、胴体および足が枕１００に対してＹ１方向側を向くようにして使用される。
【００２５】
枕１００は、図２に示すように、枕本体１と、押圧部材２と、下敷部材３とを備えている。
【００２６】
枕本体１は、図３に示すように、厚さ方向に貫通する複数の貫通孔１１を有する。枕本体１は、平面的に見て、角丸長方形状（トラック状）に形成されるとともに、長辺部分が中央において僅かに内側に反り曲がるように形成されている。なお、枕本体１は、平面的に見て矩形状であってもよく、特に限定されるものではない。
【００２７】
枕本体１の長手方向（Ｘ方向）の長さは、特に限定されないが、４００〜７００ｍｍが好ましく、より好ましくは５５０〜６５０ｍｍであり、たとえば６００ｍｍである。枕本体１の短手方向（Ｙ１およびＹ２方向）の長さは、特に限定されないが、２００〜４００ｍｍが好ましく、より好ましくは２５０〜３５０ｍｍであり、たとえば３００ｍｍである。枕本体１の厚さは、特に限定されないが、３０〜１００ｍｍが好ましく、より好ましくは５０〜８０ｍｍであり、たとえば８０ｍｍである。
【００２８】
枕本体１の材質は、クッション性の観点から樹脂発泡体（フォーム）である。上記樹脂発泡体を形成する樹脂としては、たとえば、ポリウレタン（軟質ポリウレタン、硬質ポリウレタン）、ポリオレフィン、合成ゴム、天然ゴムなどが挙げられる。中でも、成型の自由度の観点から、ポリウレタンが好ましく、より好ましくは軟質ポリウレタンである。すなわち、枕本体１は、たとえば、ポリウレタンフォーム製であることが好ましく、より好ましくは軟質ポリウレタンフォーム製である。
【００２９】
枕本体１は、特に限定されないが、睡眠時における快適性の観点から、下記の物性値を満たすことが好ましい。枕本体１の見掛け密度は、３０〜１００ｋｇ／ｍ3が好ましく、より好ましくは５０〜８０ｋｇ／ｍ3である。また、枕本体１の硬さは、１０〜１５０Ｎが好ましく、より好ましくは２０〜１００Ｎ（特に、２０Ｎ以上、１００Ｎ未満）である。さらに、枕本体１の反発弾性率は、１〜５０％が好ましく、より好ましくは５〜３０％（特に、５％以上、３０％未満）である。なお、枕本体１の見掛け密度は、ＪＩＳ Ｋ ７２２２：２００５に準じて測定された値である。枕本体１の硬さは、ＪＩＳ Ｋ ６４００−２：２０１２ Ｄ法に準じて測定された値である。枕本体１の反発弾性率は、ＪＩＳ Ｋ ６４００−３：２０１１に準じて測定された値である。
【００３０】
枕本体１の表面１ａには、図１に示すように、球面状の凹部１２が形成されるとともに、凹部１２から連なるように短手方向の一方端部側（Ｙ１方向側）に隆起部１３が形成されている。凹部１２および隆起部１３は、枕本体１の長手方向における中央部に形成されている。そして、凹部１２は、頭部が載置された場合に後頭部を支持するように構成され、隆起部１３は、頭部が載置された場合に頚椎部を支持するように構成されている。なお、凹部１２では、中心側に比べて外縁側の傾斜が緩やかになっており、外縁側が段差状になっている。上記表面１ａは、枕本体１の上面、すなわち、頭部が載置される表面である。
【００３１】
また、枕本体１の表面１ａには、長手方向における両端部に凹部１２よりも浅い凹部１４が形成されている。この凹部１４は、短手方向の他方端部側（Ｙ２方向側）にほぼ平坦に形成されている。なお、凹部１２と凹部１４との境界部１ｂは僅かに隆起しており、その隆起した境界部１ｂは凹部１２を取り囲むように平面的に見て弧状に形成されている。
【００３２】
枕本体１の底面は、平坦に形成されるとともに、下敷部材３が嵌め合わされる凹状の嵌合部１５が形成されている。嵌合部１５は、図３に示すように、平面的に見てＴ字状に形成されており、表面１ａの凹部１２、隆起部１３および凹部１４（図１参照）と対応するように形成されている。すなわち、嵌合部１５は、Ｙ２方向側では外縁部を除きほぼ全体に形成され、Ｙ１方向側では中央近傍のみに形成されており、外縁部の一部が隆起部１３の下方において切り欠かれるようになっている。嵌合部１５の深さは、特に限定されないが、２０〜４０ｍｍが好ましく、より好ましくは２５〜３５ｍｍであり、たとえば３０ｍｍである。
【００３３】
枕本体１の貫通孔１１は、断面形状が円形であり、表面１ａと底面（嵌合部１５）とを連通するように形成されている。また、図５に示すように、貫通孔１１の長さＬ１は、１０〜６０ｍｍが好ましく、より好ましくは１５〜４０ｍｍである。貫通孔１１の直径Ｄ１は、６〜１６ｍｍが好ましく、より好ましくは７〜１２ｍｍである。また、複数の貫通孔１１は、大きさの異なる貫通孔１１ａ〜１１ｆ（図３参照）により構成されていることが好ましい。なお、貫通孔１１ａ〜１１ｆについては、後で詳細に説明する。
【００３４】
押圧部材２は、図２および図４に示すように、複数の押圧部２１と、複数の押圧部２１を連結する連結部２２とを含んでいる。押圧部材２（特に、押圧部２１）は、枕本体１および下敷部材３よりも硬くされている。
【００３５】
押圧部材２の材質（特に、押圧部２１の材質）は、適度な指圧効果の観点から、ゴムまたはエラストマーの非発泡体である。上記非発泡体を形成するゴムまたはエラストマーとしては、たとえば、シリコーンゴム（シリコーンエラストマー）、オレフィンゴム（オレフィンエラストマー）、ウレタンゴム（ウレタンエラストマー）、エチレン酢酸ビニル共重合体、その他の合成ゴム、天然ゴムなどが挙げられる。中でも、シリコーンゴム（シリコーンエラストマー）が好ましい。すなわち、押圧部材２は、たとえばシリコーンゴムの非発泡体製であることが好ましい。なお、押圧部２１および連結部２２の材質は同じであることが好ましいが、押圧部２１および連結部２２の材質が異なっていてもよい。
【００３６】
押圧部材２は、特に限定されないが、適度な指圧効果の観点から、下記の物性値を満たすことが好ましい。押圧部材２の硬さは、１０〜４０°が好ましく、より好ましくは２０〜３０°である。なお、押圧部材２の硬さは、ＪＩＳ Ｋ ６２５３−３：２０１２に準じてデュロメータを用いて測定された値である。
【００３７】
押圧部２１は、断面が円形の棒状に形成されており、図５に示すように、対応する枕本体１の貫通孔１１に挿入されている。すなわち、押圧部２１は、枕本体１の貫通孔１１にそれぞれ配置されている。押圧部２１は、先端部２１１が半球状に形成され、基端部２１２が連結部２２に接続されている。また、押圧部２１は、枕本体１と非接着状態であり、先端部２１１が枕本体１の表面１ａよりも内側（厚さ方向において、下方）に配置されている。
【００３８】
枕本体１は、上記構成により、表面１ａが押圧部２１の先端部２１１と揃うように圧縮可能となっている。すなわち、枕本体１が荷重を受けておらず圧縮されていない場合に、押圧部２１が枕本体１の表面１ａに対して退避された状態であり、枕本体１が荷重を受けてＺ方向に圧縮された場合に、押圧部２１が枕本体１の表面１ａに現れるようになっている。
【００３９】
押圧部２１の長さＬ２は、５〜４０ｍｍが好ましく、より好ましくは７〜３０ｍｍである。押圧部２１の直径Ｄ２は、５〜１５ｍｍが好ましく、より好ましくは６〜１１ｍｍである。そして、押圧部２１の先端部２１１と枕本体１の表面１ａとの距離Ｌ３は、１〜２５ｍｍが好ましく、より好ましくは５〜２０ｍｍである。貫通孔１１の長さ（すなわち、貫通孔１１の深さ）Ｌ１に対する押圧部２１の長さＬ２の比［Ｌ２／Ｌ１］は、指圧効果の観点から、０．３以上、１．０未満が好ましく、より好ましくは０．４以上、０．９以下（０．４〜０．９）である。なお、上記比［Ｌ２／Ｌ１］は、押圧部２１と、その押圧部２１が挿入される貫通孔１１との関係を示したものである。
【００４０】
ここで、第１実施形態では、図２および図４に示すように、複数の押圧部２１は、大きさの異なる押圧部２１ａ〜２１ｆにより構成されていることが好ましい。以下に具体的態様について説明する。
【００４１】
押圧部２１ａは、最も小さく形成されており、中央部近傍に楕円状（中心を介して対向する２列状）に配置されている。この押圧部２１ａは、長さが７ｍｍであり、基端部の直径が５ｍｍであり、先端部の直径が４ｍｍである。そして、各押圧部２１ａは、それぞれ対応する貫通孔１１ａ（図３参照）に挿入されている。なお、貫通孔１１ａは、長さが１２ｍｍであり、直径が６ｍｍである。このため、押圧部２１ａの先端部が枕本体１の表面１ａよりも内側に配置されている。
【００４２】
押圧部２１ｂは、２番目に小さく形成されており、押圧部２１ａを取り囲むように配置されている。この押圧部２１ｂは、長さが９ｍｍであり、基端部の直径が６ｍｍであり、先端部の直径が５ｍｍである。そして、各押圧部２１ｂは、それぞれ対応する貫通孔１１ｂ（図３参照）に挿入されている。なお、貫通孔１１ｂは、長さが１４ｍｍであり、直径が７ｍｍである。このため、押圧部２１ｂの先端部が枕本体１の表面１ａよりも内側に配置されている。
【００４３】
押圧部２１ｃは、３番目に小さく形成されており、押圧部２１ｂを取り囲むように配置されている。この押圧部２１ｃは、長さが１２ｍｍであり、基端部の直径が７ｍｍであり、先端部の直径が６ｍｍである。そして、各押圧部２１ｃは、それぞれ対応する貫通孔１１ｃ（図３参照）に挿入されている。なお、貫通孔１１ｃは、長さが１７ｍｍであり、直径が８ｍｍである。このため、押圧部２１ｃの先端部が枕本体１の表面１ａよりも内側に配置されている。
【００４４】
押圧部２１ｄは、４番目に小さく形成されており、押圧部２１ｃを取り囲むように配置（押圧部２１ｃを長手方向において挟み込むように２列状に配置）されている。この押圧部２１ｄは、長さが１７ｍｍであり、基端部の直径が８ｍｍであり、先端部の直径が７ｍｍである。そして、各押圧部２１ｄは、それぞれ対応する貫通孔１１ｄ（図３参照）に挿入されている。なお、貫通孔１１ｄは、長さが２２ｍｍであり、直径が９ｍｍである。このため、押圧部２１ｄの先端部が枕本体１の表面１ａよりも内側に配置されている。
【００４５】
押圧部２１ｅは、５番目に小さく形成されており、短手方向の端部に配置されている。この押圧部２１ｅは、長さが２４ｍｍであり、基端部の直径が９ｍｍであり、先端部の直径が８ｍｍである。そして、各押圧部２１ｅは、それぞれ対応する貫通孔１１ｅ（図３参照）に挿入されている。なお、貫通孔１１ｅは、長さが２９ｍｍであり、直径が１０ｍｍである。このため、押圧部２１ｅの先端部が枕本体１の表面１ａよりも内側に配置されている。
【００４６】
押圧部２１ｆは、最も大きく形成されており、長手方向の端部に配置されている。この押圧部２１ｆは、長さが３０ｍｍであり、基端部の直径が１０ｍｍであり、先端部の直径が９ｍｍである。そして、各押圧部２１ｆは、それぞれ対応する貫通孔１１ｆ（図３参照）に挿入されている。なお、貫通孔１１ｆは、長さが３５ｍｍであり、直径が１１ｍｍである。このため、押圧部２１ｆの先端部が枕本体１の表面１ａよりも内側に配置されている。
【００４７】
すなわち、複数の押圧部２１では、中央側の押圧部２１が外縁側の押圧部２１に比べて、長さおよび直径が小さくされている。同様に、複数の貫通孔１１では、中央側の貫通孔１１が外縁側の貫通孔１１に比べて、長さおよび直径が小さくされている。なお、複数の押圧部２１の長さは、枕本体１の表面形状、すなわち、貫通孔１１の長さに応じて設定されており、各押圧部２１の先端部２１１が枕本体１の表面１ａよりも内側に配置されている。なお、各押圧部２１の先端部２１１と枕本体１の表面１ａとの距離は、同じ（たとえば５ｍｍで一定）であってもよいし、異なるようにしてもよい。また、複数の押圧部２１（貫通孔１１）では、中央側の方が外縁側に比べて配置間隔が小さくされている。
【００４８】
たとえば、凹部１２の中心近傍に配置される押圧部２１（２１ａおよび２１ｂ）は、その周囲に配置される押圧部２１（２１ｃおよび２１ｄ）に比べて直径が小さくされている。凹部１２に配置される押圧部２１（２１ａ〜２１ｄ）は、隆起部１３に配置される押圧部２１（２１ｅ）に比べて直径が小さくされ、隆起部１３に配置される押圧部２１（２１ｅ）は、凹部１４に配置される押圧部２１（２１ｆ）に比べて直径が小さくされている。また、凹部１２の中心近傍に配置される押圧部２１（２１ａおよび２１ｂ）は、凹部１４に配置される押圧部２１（２１ｆ）に比べて配置間隔が小さくされている。
【００４９】
連結部２２は、近傍に配置される押圧部２１同士を基端部２１２で連結するように構成されており、平面的に見て網目状に形成されている。
【００５０】
下敷部材３は、特に限定されないが、たとえば、図２に示すように、平板状に形成されるとともに、平面的に見てＴ字状に形成されている。下敷部材３の厚さは、特に限定されないが、２０〜４０ｍｍが好ましく、より好ましくは２５〜３５ｍｍであり、たとえば３０ｍｍである。下敷部材３は、枕本体１の嵌合部１５に嵌め合わされている。なお、下敷部材３は押圧部材２の下方に配置されており、下敷部材３と枕本体１との間には押圧部材２の連結部２２が配置されている。すなわち、下敷部材３は、押圧部材２を枕本体１との間で挟み込むための蓋部材として機能する。
【００５１】
下敷部材３の材質は、特に限定されないが、クッション性の観点から、樹脂発泡体（フォーム）または繊維状樹脂の立体構造体であることが好ましく、より好ましくは、いわゆる無膜フォームである。上記樹脂発泡体を形成する樹脂としては、たとえば、ポリウレタン（軟質ポリウレタン、硬質ポリウレタン）、ポリオレフィン、合成ゴム、天然ゴムなどが挙げられる。中でも、成型の自由度の観点から、ポリウレタンが好ましく、より好ましくは軟質ポリウレタンである。すなわち、下敷部材３は、たとえば、ポリウレタンフォーム製であることが好ましく、より好ましくは軟質ポリウレタンフォーム製であり、さらに好ましくは軟質ポリウレタン無膜フォームである。
【００５２】
上記繊維状樹脂の立体構造体とは、繊維状の樹脂を三次元的に絡み合わせた立体構造体である。上記繊維状樹脂の立体構造体としては、市販品を用いることが可能であり、たとえば、株式会社エアウィーヴ製の商品名「エアウィーヴ（登録商標）」や、東洋紡株式会社製の商品名「ブレスエアー（登録商標）」などが挙げられる。
【００５３】
下敷部材３は、たとえば軟質ポリウレタンフォーム製である。下敷部材３は、特に限定されないが、下記の物性値を満たすことが好ましい。下敷部材３の見掛け密度は、５〜５０ｋｇ／ｍ3が好ましく、より好ましくは１０〜３０ｋｇ／ｍ3である。また、下敷部材３の硬さは、８０〜２５０Ｎが好ましく、より好ましくは１００〜２００Ｎである。さらに、下敷部材３の反発弾性率は、２０〜７０％が好ましく、より好ましくは３０〜６０％である。なお、下敷部材３の見掛け密度、硬さおよび反発弾性率の測定方法は、上記した枕本体１と同様である。
【００５４】
そして、枕１００は、利用者の頭部などが載置された場合に、枕本体１が荷重を受けて圧縮されることにより、枕本体１の圧縮された部分の表面１ａが押圧部２１の先端部２１１に揃うとともに、圧縮された枕本体１および押圧部材２が下敷部材３側に下方に沈み込むように構成されている。
【００５５】
−効果−
第１実施形態では、上記のように、押圧部２１の先端部２１１を枕本体１の表面１ａよりも内側に配置することによって、頭部などが載置された場合に、枕本体１の表面１ａよりも内側に配置される押圧部２１の先端部２１１が、枕本体１が圧縮されることにより枕本体１の表面１ａに現れるので、圧縮された状態の枕本体１と押圧部２１とにより頭部などを支持しながら、強すぎず弱すぎない適切な指圧効果を利用者に与えることができる。これにより、睡眠時における血行の促進を図ることができる。
【００５６】
また、第１実施形態では、表面１ａが押圧部２１の先端部２１１と揃うように枕本体１を圧縮可能に構成することによって、頭部などが載置された場合に、枕本体１が荷重を受けて圧縮されることにより、枕本体１の圧縮された部分の表面１ａに押圧部２１の先端部２１１が現れるようにすることができる。
【００５７】
また、第１実施形態では、複数の押圧部２１を連結部２２により連結することによって、図６に示すように、後頭部が載置されて押圧部２１が下方（Ｚ方向）に沈み込むと、その押圧部２１の周囲の押圧部２１を沈み込んだ押圧部２１側（Ｕ方向）に向けて浮かび上がらせることができるので、側頭部に対して指圧効果を効果的に与えることができる。すなわち、枕本体１の球面状の凹部１２に後頭部が載置された場合に、凹部１２の中心に近い押圧部２１ａおよび２１ｂ（図４参照）が沈み込むと、その周囲の押圧部２１ｃ〜２１ｅ（図４参照）を沈み込んだ押圧部２１ａおよび２１ｂ側に向けて浮かび上がらせることができるので、浮かび上がった押圧部２１ｃ〜２１ｅがたとえば側頭部を刺激することにより、指圧効果をより効果的に与えることができる。
【００５８】
また、第１実施形態では、枕本体１に球面状の凹部１２を形成することによって、凹部１２に頭部が載置された場合に、頭部に、包み込まれるような感触を与えることができるので、利用者をリラックスさせることができる。
【００５９】
また、第１実施形態では、押圧部材２の下方に下敷部材３を設けることによって、頭部などが載置された場合に、圧縮された状態の枕本体１と押圧部２１とが沈み込むことにより、より適切な指圧効果を利用者に与えることができる。
【００６０】
また、第１実施形態では、球面状の凹部１２から連なるように隆起部１３を形成することによって、凹部１２により後頭部を支持しながら、隆起部１３により頚椎部を支持することができるので、体形に沿った適度な高さで体を安定的に支持することができる。
【００６１】
また、第１実施形態において、ポリウレタンフォーム製の枕本体１の硬さを２０〜１００Ｎにするとともに、シリコーンゴムの非発泡体製の押圧部材２の硬さを２０〜３０°にし、かつ、貫通孔１１の長さＬ１に対する押圧部２１の長さＬ２の比を０．４〜０．９にすることによって、頭部などが載置された場合の押圧部２１および枕本体１の変形の度合いが特に適切であるため、より適切な指圧効果を利用者に与えることができる。
【００６２】
また、第１実施形態において、枕本体１の反発弾性率を５〜３０％にすることによって、枕本体１の弾性を特に適切にすることができる。また、枕本体１の反発弾性率を１５〜３０％にすることによって、寝返りを行いやすくすることができる。
【００６３】
また、第１実施形態では、中央側の押圧部２１の直径を外縁側の押圧部２１に比べて小さくするとともに、中央側の押圧部２１の配置間隔を外縁側に比べて小さくすることによって、より適切な指圧効果を与えることができる。
【００６４】
また、第１実施形態において、下敷部材３の材質を繊維状樹脂の立体構造体にすれば、通気性の向上を図ることができるので、汗を乾かしやすくするとともに、熱をこもりにくくすることができる。
【００６５】
（第２実施形態）
次に、図７を参照して、第２実施形態による枕の枕本体３０１の構成について説明する。なお、以下では、第１実施形態と同一部分には同一符号を付して重複する説明を省略する。
【００６６】
第２実施形態による枕本体３０１は、図７に示すように、ジェル部材３０２が着脱可能に構成されている。ジェル部材３０２が装着された状態の枕本体３０１には、枕本体１（図１参照）と同様に、貫通孔１１、凹部１２、隆起部１３、凹部１４および嵌合部１５が形成されている。
【００６７】
枕本体３０１には、ジェル部材３０２が配置される凹部３０１ａが形成されるとともに、長手方向の両端部に凹部１４が形成されている。この枕本体３０１は、第１実施形態の枕本体１と同じ材質のものが好ましく、たとえば軟質ポリウレタンフォーム製である。
【００６８】
ジェル部材３０２には、凹部１２および隆起部１３が形成されている。このジェル部材３０２は、枕本体３０１に比べて高い保温性を有する。
【００６９】
第２実施形態では、上記のように、高い保温性を有するジェル部材３０２を枕本体３０１に対して着脱可能にすることによって、たとえばジェル部材３０２を使用前に予め冷却することにより、使用時に頭部に対して清涼感を与えることができる。また、頭部に対する高い密着感を与えることができる。
【００７０】
なお、第２実施形態のその他の効果は、上記した第１実施形態と同様である。
【００７１】
（他の実施形態）
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００７２】
たとえば、本発明の枕において、貫通孔の個数および押圧部の個数は、それぞれ、特に限定されないが、指圧効果の観点から、６〜２００個が好ましく、より好ましくは１５〜１２０個であり、さらに好ましくは２５〜１００個である。
【００７３】
また、第１実施形態では、複数の押圧部２１が大きさの異なる押圧部２１ａ〜２１ｆにより構成される例を示したが、これに限らず、複数の押圧部が同じ大きさであってもよい。
【００７４】
また、第１実施形態では、連結部２２が網目状に形成される例を示したが、これに限らず、連結部が板状に形成されていてもよい。
【００７５】
また、第１実施形態では、枕本体１の表面１ａに球面状の凹部１２などが形成される例を示したが、これに限らず、枕本体の表面が平坦であってもよい。
【００７６】
また、第１実施形態では、下敷部材３が設けられる例を示したが、これに限らず、下敷部材が設けられていなくてもよい。すなわち、枕が枕本体および押圧部のみで構成されていてもよい。
【００７７】
また、第１実施形態では、枕本体１に嵌合部１５を形成するとともに、嵌合部１５に下敷部材３を嵌合する例を示したが、これに限らず、枕本体の下方に、枕本体の全面にわたって下敷部材が配置されていてもよい。この場合に、下敷部材が複数枚で構成されていてもよい。このように構成すれば、下敷部材の枚数を調整することにより、利用者の好みに応じて枕の高さを調整することができる。なお、厚さの異なる下敷部材を交換可能に構成してもよい。
【００７８】
また、第１実施形態では、複数の押圧部２１のうちの全ての押圧部２１の先端部２１１が枕本体１の表面１ａよりも内側に配置される例を示したが、これに限らず、複数の押圧部のうちの一部の押圧部の先端部のみが枕本体の表面よりも内側に配置されるようにしてもよい。
【００７９】
また、第１実施形態では、押圧部材２が１つだけ設けられる例を示したが、これに限らず、押圧部材が複数設けられていてもよい。すなわち、複数の押圧部２１のうちの全ての押圧部２１が１つの連結部２２により連結される例を示したが、これに限らず、連結部を複数設け、所定の領域ごとに押圧部が連結されるようにしてもよい。
【実施例】
【００８０】
・実験例１
（枕本体）
長さ５５０ｍｍ×幅２２０ｍｍ×厚さ３５ｍｍの直方体状の軟質ポリウレタンフォームに、直径１２ｍｍの貫通孔を１７６個（長さ方向２２個×幅方向８個）設け、枕本体を作製した。貫通孔は、隣り合う貫通孔の間隔が２５ｍｍとなるように等間隔で設けた。
（押圧部材）
押圧部としては、先端部が球状に形成された、長さが３０ｍｍであり、断面が直径１１ｍｍの円形である棒状のシリコーンゴムの非発泡体を用いた。１７６個の上記押圧部を、上記枕本体の貫通孔の位置に対応するように、シリコーンゴムの非発泡体製の連結部で連結して、押圧部材を作製した。なお、シリコーンゴムの硬さは３０°であった。
（枕）
上記枕本体と押圧部材を嵌め合せて、枕を作製した。上記枕を使用した結果（指圧効果）を表１に記載した。
・実験例２〜３、比較実験例１〜３
表１に示すように、枕本体の厚さ（すなわち、貫通孔の長さＬ１）を変更した以外は、実験例１と同様にして、枕を作製した。上記枕を使用した結果（指圧効果）を表１に記載した。
【００８１】
【表１】
2015033439.tif 000003
【００８２】
・実施例１
図１〜図５に示す第１実施形態による枕を作製した。枕本体、押圧部材、下敷部材のそれぞれの詳細は下記の通りである。
【００８３】
［枕本体］
材質：軟質ポリウレタンフォーム
サイズ：長手方向の長さ６００ｍｍ×短手方向の長さ３００ｍｍ×厚さ８０ｍｍ
物性：見掛け密度６８ｋｇ／ｍ3、反発弾性率１５％
【００８４】
［押圧部材］
材質：シリコーンゴムの非発泡体
物性：硬度３０°
【００８５】
［下敷部材］
材質：軟質ポリウレタン無膜フォーム
サイズ：長手方向の長さ５７０ｍｍ×短手方向の長さ２８０ｍｍ×厚さ３０ｍｍ
物性：密度１９ｋｇ／ｍ3、硬さ１１５Ｎ、反発弾性率３２％
なお、貫通孔１１ａ〜１１ｆと押圧部２１ａ〜２１ｆのサイズは前述部分で説明された第１実施態様の具体的態様の通りである。
【産業上の利用可能性】
【００８６】
本発明は、指圧効果を有する枕に利用可能である。
【符号の説明】
【００８７】
１      枕本体
１ａ    表面
３      下敷部材
１１、１１ａ〜１１ｆ  貫通孔
１２    凹部
２１、２１ａ〜２１ｆ  押圧部
２２    連結部
１００  枕
２１１  先端部
２１２  基端部
３０１  枕本体
【図１】
2015033439.tif 000004
【図２】
2015033439.tif 000005
【図３】
2015033439.tif 000006
【図４】
2015033439.tif 000007
【図５】
2015033439.tif 000008
【図６】
2015033439.tif 000009
【図７】
2015033439.tif 000010